(57)【要約】【課題】使用者は手または他の操作物で操作できて、入力情報を直接に得て便利性を向上させること。【解決手段】スタンド、光源部、光学レンズ、センサ及び制御回路を含み、該スタンド内には回路基板が設けられ、且つ複数のピンが電気的に接続され、該光源部は該スタンド内の回路基板に位置され、該光源部は該スタンドのピンに電気的に接続され光源を提供し、該光源は該光学レンズの第１の光学曲面、第１の斜面部、第２の光学曲面を順次経てから光学レンズを透過し、光学レンズの上方の操作物を介してさらに反射して第３の凹部及び第３の光学曲面を経てセンサ内に反射され、該センサは該スタンド内の回路基板に、かつ該光学レンズの第２の凸部の下方に対応して設けられる。【選択図】図１
0003136181.tif 000002
【実用新案登録請求の範囲】
【請求項１】
モジュール化の光学制御モジュールであって、
その内部に回路基板が設けられ、且つスタンドには複数のピンが設けられ、これらのピンが回路基板に電気的に接続されるスタンドと、
前記スタンド内の回路基板に位置され、前記スタンドのピンに電気的に接続され光源を提供する光源部と、
前記スタンドの上方に結合され、光学レンズには第１の凸部が設けられ、前記第１の凸部は第１の光学曲面を形成し、前記第１の凸部の上方には第１の凹部が設けられ、前記第１の凹部内には第１の斜面部が形成され、前記第１の凹部の右側に第２の凹部が設けられ、前記第２の凹部内には第２の光学曲面が形成され、前記第１の凸部と前記第２の凹部の間の光学レンズの下方には第４の凹部が設けられ、前記第４の凹部は第２の斜面部を形成し、且つ前記光学レンズにはさらに第３の凹部が設けられ、前記第３の凹部の下方の光学レンズの底部には第５の凹部が設けられ、前記第５の凹部内には第２の凸部が設けられ、前記第２の凸部は第３の光学曲面を形成する光学レンズと、
前記スタンドの回路基板の上に、かつ前記光学レンズの第２の凸部の下方に対応して設けられ、受光及び演算処理を行うセンサと、
前記スタンドの回路基板の上に設けられ、前記センサから転送された信号を受信し、回路運行を制御する制御回路とを含む、
光学制御モジュール。
【請求項２】
前記該センサはＣＭＯＳ(Complementray Metal Oxide Semiconductor)であることを特徴とする請求項１記載の光学制御モジュール。
【考案の詳細な説明】
【技術分野】
【０００１】
本考案は、光学制御モジュールに係り、特に、スタンド、光源部、光学レンズ、センサ及び制御回路の組合設計によって、光源部が発した光を光学レンズを透過してセンサ内へ反射され、制御回路で他のアプリケーション回路に信号を出力し作動させるモジュール化の光学制御モジュールを提供し、ノートパソコンやマウス等または類似部品の構造に適用できる光学制御モジュールに関するものである。
【背景技術】
【０００２】
パソコンでは、一般に良く見られる入力設備は、キーボード及びマウスである。
入力するためのキーボードは、タイプライティングに用いるのが多い。
マウスはウインド画面カソルの移動位置を制御するためのもので、ウインド画面におけるカソル位置制御について言えば、早期のマウスの仕組みは、マウス底部のリングを押して動かし、リング位置変動による抵抗変化によってカソルの位置決め及びウインド画面におけるカソル位置制御を行っている。
また近年は、タッチパッド(Touch Pad)や指標入力装置等で機械的なマウスに代わるものもある。
【０００３】
タッチパッドの操作原理について説明する。指で該タッチパッドに接触すると、該タッチパッドの容量が変化され、制御ＩＣは容量変化を検出するとともに座標に切り替えられ、ウインド画面におけるカソル位置を制御して行くように構成されている。
また、指標入力装置は、ケース内にレンズセットが設けられ、該レンズセットで画像変化を反射し対応の電子信号を発生し、パソコン装置のカソル移動を制御するように構成されている。
【０００４】
しかしながら、タッチパッドは、その反応が敏感過ぎることで位置決め精度が比較的低くく、パソコンの使用時間が長くなって指に汗が出ると、カソルが渋くなる。
さらにタッチパッドが圧力に敏感な装置であるため、十分に保護しないとタッチパッドが損壊され易い。
修理の際、通常はタッチパッドモジュール全体を交換していいるが、そのコストは相対的に高いなどの欠点がある。
指標入力装置は、組立の際にケース内に許容するレンズ位置のばらつきが非常に小さいため、製造上は精度が比較的に高く、組立の要求も多く、コストも相対的に高いので、実際に使用する上では使用者のニーズに適合することができない。
【考案の開示】
【考案が解決しようとする課題】
【０００５】
本考案の主な目的は、スタンド、光源部、光学レンズ、センサ及び制御回路の組合設計によって、光源部が発した光を光学レンズを透過して、光が該光学レンズを透過させてからセンサへ反射され、制御回路で他のアプリケーション回路に信号を出力し作動させるモジュール化の光学制御モジュールを提供して、使用者は手または他の操作物で操作でき、入力情報を直接に得て、その便利性を向上させることである。
【０００６】
本考案の次の目的は、該スタンドに該光学レンズが結合されることによって、本考案の光学制御モジュールが、全体の組立にはより便利、正確で、大量生産に適合し、コストを低下してその実用性を向上させることである。
【０００７】
本考案の他の目的は、スタンド内には光源部、光学レンズ、センサ及び制御回路が組合されるモジュール化設計によって、本考案の光学制御モジュールが、様々な製品に簡易に組立でき、その実用性及び便利性を向上させることができる。
【課題を解決するための手段】
【０００８】
前記目的を達成するために、本願の第１考案に係る光学制御モジュールは、スタンド、光源部、光学レンズ、センサ及び制御回路を含み、前記スタンド内には回路基板が設けられ、且つ複数のピンが電気的に接続され、前記光源部は前記スタンド内の回路基板に位置され、前記光源部は前記スタンドのピンに電気的に接続され光源を提供し、前記光源は前記光学レンズの第１の光学曲面、第１の斜面部、第２の光学曲面を順次に経てから前記光学レンズを透過し、光学レンズ上方の操作物を介してさらに反射し第３の凹部及び第３の光学曲面を経てセンサ内に反射され、前記センサは前記スタンド内の回路基板に、かつ前記光学レンズの第２の凸部の下方に対応して設けられ、受光及び演算処理し、前記制御回路は前記スタンド内の回路基板に設けられ、前記センサから転送された信号を受信して回路運行を制御するモジュール化の光学制御モジュールを提供する。
本願の第２考案に係る光学制御モジュールは、前記第１考案において、該センサはＣＭＯＳ(Complementray Metal Oxide Semiconductor)であることを特徴とするモジュール化の光学制御モジュールを提供する。請求項１記載の光学制御モジュール
【考案を実施するための最良の形態】
【０００９】
以降に図面を参照しながら本考案の特徴及び具体的な実施例について詳述する。
【００１０】
図１〜図３に示すように、本考案に係る光学制御モジュールは、スタンド１、光源部１０、光学レンズ２０、センサ３０及び制御回路４０を含む。
【００１１】
スタンド１は、その内部に回路基板５０が設けられ、且つ該スタンド１には複数のピン２が設けられ、これらのピン２が回路基板５０に電気的に接続される。
【００１２】
光源部１０は、該スタンド１内の回路基板５０に位置され、該光源部１０はスタンド１のピン２に電気的に接続され光源を提供する。
【００１３】
光学レンズ２０は、該スタンド１の上方に結合され、該光学レンズ２０には第１の凸部２１が設けられる。
第１の凸部２１は第１の光学曲面２１１を形成し、第１の凸部２１の上方には第１の凹部２２が設けられる。
第１の凹部２２内には第１の斜面部２２１が形成され、第１の凹部２２の右側に第２の凹部２３が設けられる。
該第２の凹部２３内には第２の光学曲面２３１が形成される。
該第１の凸部２１と第２の凹部２３の間の光学レンズ２０の下方には第４の凹部２６が設けられる。
第４の凹部２６は第２の斜面部２６１を形成し、且つ該光学レンズ２０にはさらに第３の凹部２４が設けられる。
該第３の凹部２４の下方の光学レンズ２０の底部には第５の凹部２７が設けられ、該第５の凹部２７内には第２の凸部２５が設けられる。
第２の凸部２５は第３の光学曲面２５１を形成する。
【００１４】
センサ３０は、該スタンド１の回路基板５０の上に、かつ該光学レンズ２０の第２の凸部２５の下方に対応して設けられる。
該センサ３０はＣＭＯＳ(Complementray Metal Oxide Semiconductor)で該光学レンズ２０を透過してから反射された光を受光し並びに演算処理を行い、その内部に画素センサ３１、ポイントサーチ３２、レジスト３３及びメモリ３４が設けられる。
【００１５】
制御回路４０は、該スタンド１の回路基板５０の上に設けられ、該センサ３０から転送された信号を受信し、回路運行を制御する。
【００１６】
図１〜図４に示すように、本考案の特徴は、スタンド１、光源部１０、光学レンズ２０、センサ３０及び制御回路４０の組合せによって、光源部１０が発した光を光学レンズ２０を透過して、光が該光学レンズ２０を透過させ、操作物６０（本実施例は、手を操作物とするが、実際に実施する際他の操作物を使用しても良い）を介してからセンサ内へ反射され、該スタンド１上のピン２により他のアプリケーション回路に電気的に接続される。
さらに制御回路４０で他のアプリケーション回路に信号を出力し作動させる。
使用者は手または他の操作物で直接に操作できる。
入力情報を直接に得て、その便利性を向上させることができる。
また、該スタンド１の上方には該光学レンズ２０が結合されることによって、本考案の光学制御モジュールが、全体の組立においてより便利、正確で、大量生産に適合し、かつコストを低下させることができる。
さらに、スタンド１内には回路基板５０が設けられる。
該回路基板５０には光源部１０、センサ３０及び制御回路４０が設けられるモジュール化設計によって、光源部１０が発射する光が光学レンズ２０の第１の光学曲面２１１を透過してから第１の斜面部２２１までに反射し、該第１の斜面部２２１でさらに第２の光学曲面２３１までに反射し、該第２の光学曲面２３１より光を該光学レンズ２０を透過させる。
第２の斜面部２６１も第１の斜面部２２１に反射された一部の光を反射し、該光を第２の光学曲面２３１までに反射し、該光学レンズ２０を透過した光が操作物６０を介して反射された後に、第３の凹部２４を経てから第３の光学曲面２５１に入射し集光される。
集光された光はセンサ３０内の画像センサ３１内に戻り、該センサ３０は光をデジタル信号として処理する。
さらにデータをポイントサーチ３２に転送し信号分析させるとともに操作物６０が変更している方向を検出する。
該ポイントサーチ３２はさらに電子信号をメモリ３４及びレジスト３３内に転送し、かつ制御回路４０へ実行指令を発し、センサ３０により演算処理した後に再び処理結果を制御回路４０に転送する。
該スタンド１上のピン２により他のアプリケーション回路に電気的に接続される。
制御回路４０で他のアプリケーション回路に信号を出力し作動させる。
したがって、組立が簡易で、コストが低いモジュール化の光学制御モジュールを提供できる。
【００１７】
図５は、本考案に係る光学制御モジュールを機器本体７０（本実施例ではノートパソコンで）に予め設けられた凹み部内に設け、該光学レンズ２０は本体７０の凹み部の天井面に嵌設され、該本体７０上には該光学レンズ２０上の第１の凹部２２、第２の凹部２３及び第３の凹部２４が見られる。
本考案に係る光学制御モジュールは、該スタンド１上のピン２で本体７０に電気的に接続されることにより、本体の入力設備を完成する。
使用する際には、操作物６０（例えば、手等）で本体７０の入力設備（すなわち、光学レンズ２０）上に直接に置き、光学レンズ２０が発した光を反射し、さらに光を該光学レンズ２０までに反射させて、最後に該光学レンズ２０を透過してセンサ３０に受光される。
受光された信号はＣＭＯＳにより演算処理した後に、さらに制御回路４０までに転送し本体７０システムうちの他のアプリケーション回路を制御する。
【００１８】
また図６は、本考案の第２実施例を示す。
本例では光学制御モジュールをマウス８０内に設け、該光学制御モジュールの光学レンズ２０をマウス８０の天井面に嵌設し、該スタンド１上のピン２でマウス８０に電気的に接続されることにより、マウス８０の入力設備を完成したものである。
以上のように、本考案に係る光学制御モジュールは、光学レンズ２０の反射によって、反射後の光学信号を電子信号に変換して出力させるため、精度が高く、反応の早い入力設備を実現できる。
また、本考案は、モジュール化の光学制御モジュールであるため、他の製品に適用し易く、組立簡易及びコストが低くなり、実用性及び便利性の利点を有する。
【００１９】
前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００２０】
【図１】本考案の実施例の外観斜視分解図である。
【図２】本考案の実施例の結合を示す断面図である。
【図３】本考案の実施例に係るセンサ内部を示すブロック図である。
【図４】本考案の実施例に係る使用状態を示す断面図である。
【図５】本考案の第２実施例に係る使用状態を示す図である。
【図６】本考案の第３実施例に係る使用状態を示す図である。
【符号の説明】
【００２１】
１・・・・・・スタンド
２・・・・・・ピン
１０・・・・・光源部
２０・・・・・光学レンズ
２１・・・・・第１の凸部
２１１・・・・第１の光学曲面
２２・・・・・第１の凹部
２２１・・・・第１の斜面部
２３・・・・・第２の凹部
２３１・・・・第２の光学曲面
２４・・・・・第３の凹部
２５・・・・・第２の凸部
２５１・・・・第３の光学曲面
２６・・・・・第４の凹部
２６１・・・・第２の斜面部
２７・・・・・第５の凹部
３０・・・・・センサ
３１・・・・・画素センサ
３２・・・・・ポイントサーチ
３３・・・・・レジスト
３４・・・・・メモリ
４０・・・・・制御回路
５０・・・・・回路基板
６０・・・・・操作物
７０・・・・・機器本体
８０・・・・・マウス
【図１】
0003136181.tif 000003
【図２】
0003136181.tif 000004
【図３】
0003136181.tif 000005
【図４】
0003136181.tif 000006
【図５】
0003136181.tif 000007
【図６】
0003136181.tif 000008